(57)【要約】      （修正有）【課題】めがねのつる部を閉じた後、つる部とフレームとが接触しないようにした、めがねつる部の閉合ストッパー構造を提供する。【解決手段】閉合ストッパー構造２０をフレーム２０１とつる部２３との間に設けることで、つる部を閉合するときに、つる部がフレームに触れないようにしたもので、つる部と、フレームの外側に設ける一対の内向き片２１と、内向き片間の外側に設けるストッパー部２２１を備え、つる部はフレームに接続する頭端の他、中間部２３２と耳掛け部２３３を有し、頭端に近い箇所に内向き片のビス穴に対応する穴を設け、つる部を内向き片の間に螺合することで、つる部は穴を軸として回転閉合し、閉合する際、末端がストッパー部によって制止されてフレームに触れない。【選択図】図３
0003152095.tif 000002
【実用新案登録請求の範囲】
【請求項１】
フレーム、つる部、内向き片、ストッパー部、を備え、
一対の前記内向き片を前記フレームの外側に設置して、該内向き片にそれぞれ一つのビス穴を設け、
前記ストッパー部を前記内向き片間の外側に設置し、
前記つる部は前記フレームに接続する頭端と、中間部及び耳に掛ける耳掛け部を有し、前記頭端の頂面に厚辺を設け、該頭端に近い箇所に内向き片のビス穴に対応する穴を設置して、該つる部を該内向き片の間に螺合することで、つる部は該穴を軸として展開位置及び閉合位置に回転し、前記つる部が閉合位置にある場合は、前記該頭端の外縁はストッパー部により、中間部或いは耳掛け部の如何なる部位も、フレームに触れないようにしたことを特徴とするめがねつる部の閉合ストッパー構造。
【請求項２】
前記つる部の頭端は、更に凹部を有し、該つる部が閉合位置にある際、該凹部の外縁で前記ストッパー部を制止することを特徴とする請求項1記載のめがねつる部の閉合ストッパー構造。
【請求項３】
前記フレームに圧縮弾片を設けて該圧縮弾片が前記内向き片の間を通りつる部の頭端に抵触し、且つストッパー部は圧縮弾片に位置することを特徴とする請求項1記載のめがねつる部の閉合ストッパー構造。
【請求項４】
前記フレームは更に圧縮弾片を内向き片の間に通してつる部の凹部と抵触させ、且つストッパー部は該圧縮弾片に位置することを特徴とする請求項2記載のめがねつる部の閉合ストッパー構造。
【請求項５】
前記フレーム、圧縮弾片、ストッパー部及び内向き片の材料は、金属板金で一体成型することを特徴とする請求項3又は請求項4記載のめがねつる部の閉合ストッパー構造。
【考案の詳細な説明】
【技術分野】
【０００１】
本考案は、めがねつる部の閉合構造に係り、特につる部を閉じたときにフレームに当たらないようにしためがねつる部の閉合ストッパー構造に関する。
【背景技術】
【０００２】
図1及び図2に示すように、収納或いは携帯に便利なように、一般的にめがねはフレームとつる部とは蝶番で互いを接続しているため、閉合できる構造となっている。このようにめがねは、フレーム10の片側に蝶番構造12を設け、つる部11と結合することで、つる部11は開いたり閉じたりできるようになっている。
【０００３】
めがねは、実用性のほか、ユーザーの社会的地位を表すこともある。よって、めがねの材料やデザインはファッショナブルな領域へと突入して来ている。このような時代において、上述の従来技術では、つる部を閉じた後、該つる部はフレームと互いにぶつかってしまう。つる部の内側は、顔と当たるため、化学分泌物がつきやすく、そのような分泌物がフレームに付くと、素材の光沢が消える、或いは、フレームの色落ちや材料が変質するなどの問題を引き起こしやすいため、改善する必要があった。
【考案の概要】
【考案が解決しようとする課題】
【０００４】
前記従来技術の欠点を解決するため、本考案はめがねのつる部を閉じた後、つる部とフレームが接触しないめがねつる部閉合ストッパー構造を提供することを主な課題とする。
【課題を解決するための手段】
【０００５】
前記課題を解決するために、本考案によるめがねつる部の閉合ストッパー構造は、一対の内向き片をフレームの外側に設け、この内向き片にそれぞれビス穴を一つ有し、ストッパー部を前記内向き片の外側に設置し、つる部にフレームと接続する頭端の他、中間部と耳掛け部とを備え、前記頭端に近い箇所に内向き片のビス穴と対応する穴を設け、つる部を内向き片の間に螺合することで、つる部は前記穴を軸として回転閉合し、閉合する際、頭端外縁はストッパー部によって制止されるため、中間部或いは耳掛け部のいずれもフレームに触れない。
【考案の効果】
【０００６】
本考案のめがねつる部の閉合構造は、つる部を閉合する際、頭端或いは頭端に設ける凹部に合わせて、フレームの外側にある内向き片の間にストッパー部を設けることで、つる部の頭端或いは頭端に設ける凹部を閉合した後、ストッパー部によって制止するため、有効的につる部が過度に閉合することでフレームに当たるのを防止し、フレーム及びつる部の外観及びラジアンの構造に、最適な保護作用がある。
【図面の簡単な説明】
【０００７】
【図１】従来技術のめがねつる部の閉合構造を示す斜視図である。
【図２】従来技術のめがねつる部を閉じた後のフレームと当たる状態を示す説明図である。
【図３】本考案の実施例に係るめがねつる部閉合ストッパー構造を示す分解斜視図である。
【図４】本考案の実施例に係るめがねつる部の閉合中を示す説明図である。
【図５】本考案の実施例に係るめがねつる部の閉合後の状態を示す説明図である。
【図６】図5のA部分を拡大して示す、つる部を閉合した状態の説明図である。
【考案を実施するための形態】
【実施例】
【０００８】
本考案によるめがねつる部の閉合ストッパー構造を明確に示すために図に沿って実施例を詳細に説明する。
【０００９】
図3は、本実施例のめがねつる部の閉合ストッパー構造20を示している。このストッパー構造20は、一対の内向き片21、ストッパー部221及びつる部23を備えている。前記二つの内向き片21は、フレーム201の外側に設置し、それぞれビス穴211を有する。前記ストッパー部221は、内向き片21間の外側に設置し、該内向き片21の間に圧縮弾片22を設置することにより、前記つる部23の閉合及び展開の際の定置付けに効果がある。前記ストッパー部221は、圧縮弾片22に位置し、或いはフレーム201に設置することができる。前記つる部23は、フレーム201に接続する頭端231及び中間部232と、耳に掛ける耳掛け部233とを有し、前記頭端231の頂面に圧辺を有している。この頭端231には穴2311を設け、この穴2311は前記二つの内向き片21のビス穴211に対応し、つる部23を二つの内向き片21の間に螺合する。
【００１０】
図4及び図5に示すように、つる部23をフレーム201に螺合することで、つる部23は穴2311を軸として展開位置30及び閉合位置40に回転することができる。また、つる部23が閉合位置40に位置する場合には、頭端231の外縁はストッパー部221により(図6参照)、中間部232或いは耳掛け部233の如何なる部位も、フレーム10に触れることがない。
【００１１】
上述のつる部23は、その頭端231の頂面に凹部2312を設け、圧縮弾片22をこの凹部2321の中に導入することにより、更にストッパー効果が得られる。
【００１２】
上述のフレーム201の外側、圧縮弾片22、ストッパー部221及び二つの内向き片21の材料は、金属プレートを使用し、板金成型の技術で成型することができる。
【００１３】
以上の実施例による本考案の詳細な説明は、本考案の範囲を制限するものではない。本技術に熟知する者は、固定構造の変更などの適当な変更及び調整を行うことができ、これらの変更及び調整を行っても本考案の重要な意義は失われず、本考案の範囲に含まれる。
【符号の説明】
【００１４】
10  フレーム
11  つる部
12  蝶番構造
20  めがねつる部の閉合ストッパー構造
201  フレーム
21  内向き片  
211  ビス穴
22  圧縮弾片
221  ストッパー部
23  つる部
2310  厚辺
2311  穴
2312  凹部
232  中間部
233  耳掛け部
30  展開位置
40  閉合位置
【図１】
0003152095.tif 000003
【図２】
0003152095.tif 000004
【図３】
0003152095.tif 000005
【図４】
0003152095.tif 000006
【図５】
0003152095.tif 000007
【図６】
0003152095.tif 000008